【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
映像源から投射された映像光を反射して映像を表示する反射スクリーンであって、
光透過性を有し、映像光が入射する第１の面とこれに対向する第２の面とを有する単位光学形状が、背面側の面に複数配列された光学形状層と、
前記単位光学形状の少なくとも前記第１の面の一部に形成された反射層と、
を備え、
前記単位光学形状は、その表面に微細かつ不規則な凹凸形状を有し、
前記反射層の前記単位光学形状側の面には、前記凹凸形状に対応した凹凸形状を有し、
前記反射層は、入射した光の一部を反射し、その他を透過する機能を有し、誘電体多層膜により形成されていること、
を特徴とする反射スクリーン。
【請求項２】
請求項１に記載の反射スクリーンにおいて、
前記反射層を形成する誘電体多層膜は、二酸化ケイ素、二酸化チタン、五酸化ニオブ、五酸化タンタル、フッ化マグネシウムの少なくともいずれかを含むこと、
を特徴とする反射スクリーン。
【請求項３】
映像源から投射された映像光を反射して映像を表示する反射スクリーンであって、
光透過性を有し、映像光が入射する第１の面とこれに対向する第２の面とを有する単位光学形状が、背面側の面に複数配列された光学形状層と、
前記単位光学形状の少なくとも前記第１の面の一部に形成された反射層と、
を備え、
前記単位光学形状は、その表面に微細かつ不規則な凹凸形状を有し、
前記反射層の前記単位光学形状側の面には、前記凹凸形状に対応した凹凸形状を有し、
前記反射層は、入射した光の一部を反射し、その他を透過する機能を有し、前記光学形状層よりも屈折率の高い誘電体膜により形成されていること、
を特徴とする反射スクリーン。
【請求項４】
請求項１から請求項３までのいずれか１項に記載の反射スクリーンにおいて、
該反射スクリーンに入射角０°で入射した光の全光線透過率は、７０〜８５％であること、
を特徴とする反射スクリーン。
【請求項５】
請求項１から請求項４までのいずれか１項に記載の反射スクリーンにおいて、
該反射スクリーンに映像源側から入射角０°で入射した光の拡散反射率は、５〜３５％であること、
を特徴とする反射スクリーン。
【請求項６】
請求項１から請求項５までのいずれか１項に記載の反射スクリーンにおいて、
該反射スクリーンのピークゲインは、０．５〜３．５であること、
を特徴とする反射スクリーン。
【請求項７】
請求項１から請求項６までのいずれか１項に記載の反射スクリーンにおいて、
該反射スクリーンのヘイズ値は、０．１〜４．０％であること、
を特徴とする反射スクリーン。
【請求項８】
請求項１から請求項７までのいずれか１項に記載の反射スクリーンにおいて、
該反射スクリーンの反射光のピーク輝度となる出射角度から輝度が１／２となる出射角度までの角度変化量を＋α１，−α２とし、その絶対値の平均値をαとするとき、５°≦α≦２０°であること、
を特徴とする反射スクリーン。
【請求項９】
請求項１から請求項８までのいずれか１項に記載の反射スクリーンにおいて、
拡散粒子を含有する拡散層を備えていないこと、
を特徴とする反射スクリーン。
【請求項１０】
請求項１から請求項９までのいずれか１項に記載の反射スクリーンにおいて、
光透過性を有し、前記光学形状層の前記単位光学形状が形成された側の面に、前記単位光学形状の間の谷部を充填するように積層された第２光学形状層を備えること、
を特徴とする反射スクリーン。
【請求項１１】
請求項１から請求項１０までのいずれか１項に記載の反射スクリーンと、
前記反射スクリーンに映像光を投射する映像源と、
を備える映像表示装置。
【手続補正２】
【補正対象書類名】明細書
【補正対象項目名】０００６
【補正方法】変更
【補正の内容】
【０００６】
本発明は、以下のような解決手段により、前記課題を解決する。なお、理解を容易にするために、本発明の実施形態に対応する符号を付して説明するが、これに限定されるものではない。
第１の発明は、映像源から投射された映像光（Ｌ）を反射して映像を表示する反射スクリーンであって、光透過性を有し、映像光が入射する第１の面（１２１ａ，２２１ａ）とこれに対向する第２の面（１２１ｂ，２２１ｂ）とを有する単位光学形状（１２１，２２１）が、背面側の面に複数配列された光学形状層（１２，２２）と、前記単位光学形状の少なくとも前記第１の面の一部に形成された反射層（１３）と、を備え、前記単位光学形状は、その表面に微細かつ不規則な凹凸形状を有し、前記反射層の前記単位光学形状側の面には、前記凹凸形状に対応した凹凸形状を有し、前記反射層は、入射した光の一部を反射し、その他を透過する機能を有し、誘電体多層膜により形成されていること、を特徴とする反射スクリーン（１０，２０）である。
第２の発明は、第１の発明の反射スクリーンにおいて、前記反射層（１３）を形成する誘電体多層膜は、二酸化ケイ素、二酸化チタン、五酸化ニオブ、五酸化タンタル、フッ化マグネシウムの少なくともいずれかを含むこと、を特徴とする反射スクリーン（１０，２０）である。
第３の発明は、映像源から投射された映像光を反射して映像を表示する反射スクリーンであって、光透過性を有し、映像光が入射する第１の面とこれに対向する第２の面とを有する単位光学形状が、背面側の面に複数配列された光学形状層と、前記単位光学形状の少なくとも前記第１の面の一部に形成された反射層と、を備え、前記単位光学形状は、その表面に微細かつ不規則な凹凸形状を有し、前記反射層の前記単位光学形状側の面には、前記凹凸形状に対応した凹凸形状を有し、前記反射層は、入射した光の一部を反射し、その他を透過する機能を有し、前記光学形状層よりも屈折率の高い誘電体膜により形成されていること、を特徴とする反射スクリーンである。
第４の発明は、第１の発明から第３の発明までのいずれかの反射スクリーンにおいて、該反射スクリーンに入射角０°で入射した光の全光線透過率は、７０〜８５％であること、を特徴とする反射スクリーン（１０，２０）である。
第５の発明は、第１の発明から第４の発明までのいずれかの反射スクリーンにおいて、該反射スクリーンに映像源側から入射角０°で入射した光の拡散反射率は、５〜３５％であること、を特徴とする反射スクリーン（１０，２０）である。
第６の発明は、第１の発明から第５の発明までのいずれかの反射スクリーンにおいて、該反射スクリーンのピークゲインは、０．５〜３．５であること、を特徴とする反射スクリーン（１０，２０）である。
第７の発明は、第１の発明から第６の発明までのいずれかの反射スクリーンにおいて、該反射スクリーンのヘイズ値は、０．１〜４．０％であること、を特徴とする反射スクリーン（１０，２０）である。
第８の発明は、第１の発明から第７の発明までのいずれかの反射スクリーンにおいて、該反射スクリーンの反射光のピーク輝度となる出射角度から輝度が１／２となる出射角度までの角度変化量を＋α１，−α２とし、その絶対値の平均値をαとするとき、５°≦α≦２０°であること、を特徴とする反射スクリーン（１０，２０）である。
第９の発明は、第１の発明から第８の発明までのいずれかの反射スクリーンにおいて、拡散粒子を含有する拡散層を備えていないこと、を特徴とする反射スクリーン（１０，２０）である。
第１０の発明は、第１の発明から第９発明までのいずれかの反射スクリーンにおいて、光透過性を有し、前記光学形状層（１２，２２）の前記単位光学形状が形成された側の面に、前記単位光学形状の間の谷部を充填するように積層された第２光学形状層（１４）を備えること、を特徴とする反射スクリーン（１０，２０）である。
第１１の発明は、第１の発明から第１０の発明までのいずれかの反射スクリーン（１０，２０）と、前記反射スクリーンに映像光を投射する映像源（ＬＳ）と、を備える映像表示装置（１）である。